(57)【要約】【課題】一つでも複数箇所を同時に保温することが可能な保温用衣料品を提供する。【解決手段】筒状に編み上げられた伸縮性を有する編物品である上方筒状部２と、筒状に編み上げられた伸縮性を有する編物品である下方筒状部３とからなり、下方筒状部３における上端縁３ａの後方部分が、上方筒状部２における下端縁２ａの後方部分とが連結されているので、首と頭部等のように互いに離間している部分でも同時に保温することができる。そして、下方筒状部３において上方筒状部２と連結されている部分の長さＬ２が、下方筒状部３において上方筒状部２と連結されていない部分の長さＬ１よりも短くなっているので、気候に合わせて一箇所だけを暖めたり、２箇所を同時に暖めたりすることもできる。【選択図】図１
0003134068.tif 000002
【実用新案登録請求の範囲】
【請求項１】
筒状に編み上げられた伸縮性を有する編物品である上方筒状部と、
筒状に編み上げられた伸縮性を有する編物品である下方筒状部とからなり、
該下方筒状部における上端縁の後方部分が、前記上方筒状部における下端縁の後方部分と連結されており、
前記下方筒状部の上端縁において、前記上方筒状部と連結されている部分の長さが前記上方筒状部と連結されていない部分の長さよりも短い
ことを特徴とする保温用衣料品。
【請求項２】
前記上方筒状部および前記下方筒状部は、その高さが１５〜３０ｃｍである
ことを特徴とする請求項１記載の保温用衣料品。
【請求項３】
前記上方筒状部および前記下方筒状部は、一重の状態で筒状に編み上げられたものを、さらに二重に折り返して端縁同士を縫い合わせたものである
ことを特徴とする請求項１または２記載の保温用衣料品。
【考案の詳細な説明】
【技術分野】
【０００１】
本考案は、保温用衣料品に関する。
【背景技術】
【０００２】
従来の保温用衣料品では、頭部用では帽子やイヤーバンドがあり、首用ではマフラーがある。これらは、それぞれ単独の用途をもち、頭部と首の両方を保温する場合には、帽子やイヤーバンドとマフラーを両方使用しなければならかった（非特許文献１参照）。
したがって、さほど寒くないときであれば、一方の保温具を持っていればよいのであるが、本当に寒い日には、帽子とマフラーの両方を使用なければならない。つまり、本当に寒い日に備えて、帽子とマフラーの両方を準備しなければならなかった。
また、一日でも気温の変化が大きい場合がある。たくさんの保温具を持っておけばどのような気温の変化にも対応ができるのであるが、保温具をたくさん持てば嵩張るだけでスマートに見えない、というファッション上の抵抗感もある。
【０００３】
【非特許文献１】商品大辞典  １９９２年１０月１５日  第１２版発行  東洋経済新報社発行  1214〜1215頁
【考案の開示】
【考案が解決しようとする課題】
【０００４】
本考案は上記事情に鑑み、一つでも複数箇所を同時に保温することが可能な保温用衣料品を提供することを目的とする。
【課題を解決するための手段】
【０００５】
第１考案の保温用衣料品は、筒状に編み上げられた伸縮性を有する編物品である上方筒状部と、筒状に編み上げられた伸縮性を有する編物品である下方筒状部とからなり、該下方筒状部における上端縁の後方部分が、前記上方筒状部における下端縁の後方部分と連結されており、前記下方筒状部の上端縁において、前記上方筒状部と連結されている部分の長さが前記上方筒状部と連結されていない部分の長さよりも短いことを特徴とする。
第２考案の保温用衣料品は、第１考案において、前記上方筒状部および前記下方筒状部は、その高さが１５〜３０ｃｍであることを特徴とする。
第３考案の保温用衣料品は、第１または第２考案において、前記上方筒状部および前記下方筒状部は、一重の状態で筒状に編み上げられたものを、さらに二重に折り返して端縁同士を縫い合わせたものであることを特徴とする。
【考案の効果】
【０００６】
第１考案によれば、上方筒状部と下方筒状部はその後方部分でのみ連結されているから、前側部分には両者の間に隙間を形成することができる。すると、首と頭部等のように互いに離間している部分でも同時に保温することができる。しかも、下方筒状部と上方筒状部の連結されている部分の長さが連結されていない部分の長さよりも短いので、下方筒状部だけを首などに被せ、上方筒状部を連結部分で折り曲げて人体から外しておくこともできる。すると、気候に合わせて一箇所だけを暖めたり、２箇所を同時に暖めたりすることもできる。
第２考案によれば、上方筒状部および下方筒状部は高さが十分にあるので、広い範囲を覆って保温することができるし、二つ折りにすれば、局部を重点的に保温することもできる。
第３考案によれば、上方筒状部および下方筒状部は二重の筒になっているので、保温性が高くなる。
【考案を実施するための最良の形態】
【０００７】
つぎに、本考案の実施形態を図面に基づき説明する。
図１は本考案の一実施形態に係る保温用衣料品１を示し、（Ａ）は斜視図であり、（Ｂ）は折り畳んだ状態における平面図である。図２〜３は同実施形態に係る保温用衣料品１の使用状態の説明図である。
【０００８】
図１に示すように、本実施形態の保温用衣料品１は、上方筒状部２および下方筒状部３を備えている。この上方筒状部２および下方筒状部３は、編み上げられた伸縮性を有する編物品であり、実質的に同一のものである。
【０００９】
なお、上方筒状部２および下方筒状部３は、その高さＨ方向よりも、その幅方向（図１では左右方向）に伸縮性を多く発現するように形成されているので、頭に被せてもきつすぎず、首に入れても緩すぎず、大人であれば男女兼用で無理なく使用することができる。
【００１０】
この上方筒状部２と下方筒状部３は、下方筒状部３の上端縁３ａと上方筒状部２の下端縁２ａが、後方部分（図１では右方の部分）では連結されているが、前方部分（図１では左方の部分）では連結されていない。つまり、本実施形態の保温用衣料品１は、その前方部分において、上方筒状部２と下方筒状部３の間に隙間１ｈを形成することができるように構成されているのである。
【００１１】
以上のごとき構成であるから、図２に示すように、本実施形態の保温用衣料品１を頭から被り、下方筒状部３を首の位置に配置しても、上方筒状部２と下方筒状部３の前方部分同士を離間させるようにすれば、上方筒状部２によって頭部を覆うことができる。つまり、本実施形態の保温用衣料品１は、首と頭部等のように互いに離間している部分でも同時に保温することができる。
なお、上方筒状部２と下方筒状部３の前方部分同士の間から目の分だけの隙間ができるようにすれば、目出し帽のように使用することもできる(図４（Ｂ）)。
【００１２】
しかも、下方筒状部３の上端縁３ａと上方筒状部２の下端縁２ａとが連結されている部分の長さＬ２は、両者が連結されていない部分の長さＬ１よりも短い。すると、図３（Ａ）に示すように、下方筒状部３だけを首に被せ、上方筒状部２を連結部分で折り曲げて人体から外しても、下方筒状部３に無理な力が加わらない。つまり、上方筒状部２と下方筒状部３のいずれか一方だけを保温に使用することもできるのである。
【００１３】
よって、本実施形態の保温用衣料品１が一つあれば、気候に合わせて一箇所だけを暖めたり、２箇所を同時に暖めたりすることもできるから、複数の保温具を持たなくても、気温の変化にも対応ができる。
なお、連結されている部分の長さＬ２が連結されていない部分の長さＬ１よりも短ければよいのであるが、長さＬ２は、保温用衣料品１の幅の１／３程度以下であるのが好ましい。
【００１４】
また、上方筒状部２および下方筒状部３は、その高さＨが１５〜３０ｃｍであるから、広い範囲を覆って保温することができる。例えば、下方筒状部３を伸ばした状態で首に被せれば、下方筒状部３によって肩からあごまで完全に覆うことができるし、肩から鼻までの広い範囲を覆うことも可能である(図４（Ｂ）)。一方、上方筒状部２を伸ばして使用すれば、頭全体を覆うことも可能であり、非常に保温性が高くなる。
【００１５】
そして、上方筒状部２および下方筒状部３は十分な高さがあるから、二つ折りにして使用することもでき、この場合、局部を重点的に保温することもできる。例えば、上方筒状部２を折り曲げて使用すればイヤーバンドのように使用することも可能である（図３（Ｂ））。
【００１６】
さらに、図４（Ａ）に示すように、下方筒状部３によって肩からあごまで覆い、上方筒状部２によってあごから鼻まで覆うようにしてもよい。このように使用すれば、寒さが厳しいときに顔まで覆うフェイスマスクのように使用できる。
そして、保温用衣料品１における上方筒状部２および下方筒状部３がいずれも肩とあごの間、つまり、首のみを覆うようにしてもよく、この場合には、首を重点的に保温することができ、顔が寒くなったときには、上方筒状部２の位置をずらして、図４（Ａ）の状態とすることもできる。
【００１７】
つぎに、上方筒状部２と下方筒状部３について具体的に説明する。
上方筒状部２と下方筒状部３は、編物により作られる。つまり、上方筒状部２および下方筒状部３は、一系列の糸が作ったループ（編目）の連綴によってできる布地で、ニットとも称される。縦糸と横糸の二系列の糸を直角に交錯してできる織物とは異なり、伸縮性を有する点に特徴がある。
糸の材料は、とくに制限がなく、綿、毛、絹、人絹、合成糸などを任意に用いてよい。
【００１８】
上方筒状部２および下方筒状部３は、図５に示すように、一重の状態で筒状に編み上げる。この編物品の伸縮性は、幅Ｗ方向（図１では左右方向に相当する）に多く発現し、長さＬ方向（図１では高さＨ方向に相当する）には多少発現するようにすればよい。
【００１９】
上方筒状部２および下方筒状部３は、一重の状態のものを使用してもよいのであるが、二重の状態のものでもよい。二重の状態のものは保温性をより一層高くできる。かかる二重筒状の上方筒状部２および下方筒状部３は、以下のようにして製造できる。
一重に編み上げられた編物品(図５参照)を、図６に示すように二重に折り返し、そのうえで両端の端縁ｅ，ｅ同士を突き合わせて、糸で縫い合わせ、さらに裏返すと、二重の状態の上方筒状部２および下方筒状部３を形成することができる。
【００２０】
なお、上方筒状部２と下方筒状部３とは、必ずしも実質的に同一のものでなくてもよく、その高さＨや幅が異なるように形成してもよい。
【図面の簡単な説明】
【００２１】
【図１】本考案の一実施形態に係る保温用衣料品１を示し、（Ａ）は斜視図であり、（Ｂ）は折り畳んだ状態における平面図である。
【図２】本考案の一実施形態に係る保温用衣料品１の使用状態の説明図である。
【図３】本考案の一実施形態に係る保温用衣料品１の使用状態の説明図である。
【図４】本考案の一実施形態に係る保温用衣料品１の使用状態の説明図である。
【図５】筒状部の一重の状態での平面図である。
【図６】筒状部を二重に折り返して縫い合わせる状態を示す斜視図である。
【符号の説明】
【００２２】
１    保温用衣料品
２    上方筒状部
２ａ  上端縁
３    下方筒状部
３ａ  下端縁
【図１】
0003134068.tif 000003
【図２】
0003134068.tif 000004
【図３】
0003134068.tif 000005
【図４】
0003134068.tif 000006
【図５】
0003134068.tif 000007
【図６】
0003134068.tif 000008